(57)【特許請求の範囲】
【請求項１】
軽質炭化水素ガスに、少なくとも水蒸気とＣＯ２とを添加して混合流体とし、前記混合流体を加熱して、合成ガスを得る工程を有するＧＴＬプラントの、合成ガスリフォーマの運転方法であって、
前記合成ガスリフォーマで得られる合成ガスのＨ２とＣＯとの流量と、前記合成ガスのＨ２のモル数／前記合成ガスのＣＯのモル数で表されるＨ２／ＣＯ比と、前記混合流体に添加された水蒸気のモル数／原料軽質炭化水素ガスの炭素のモル数で表される水蒸気／カーボン比と、前記混合流体に添加されたＣＯ２のモル数／原料軽質炭化水素ガスの炭素のモル数で表されるＣＯ２／カーボン比と、前記合成ガスリフォーマの合成ガスの出口温度との制御目標値からなる運転条件を設定し、
前記運転条件と、前記軽質炭化水素ガスの組成の測定値と、前記合成ガスリフォーマの入口における前記混合流体の温度の測定値と、前記合成ガスリフォーマの出口における合成ガスの圧力の測定値とから、前記軽質炭化水素ガスの流量と前記水蒸気の流量と前記ＣＯ２の流量との制御目標値と、前記合成ガスリフォーマが要する熱量を求め、
前記軽質炭化水素ガスの流量の制御目標値と、前記水蒸気の流量の制御目標値と、前記ＣＯ２の流量の制御目標値とにより前記合成ガスリフォーマの運転負荷制御を行い、
前記合成ガスリフォーマの炉効率を設定し、
前記炉効率と、前記合成ガスリフォーマが要する熱量の値とから前記合成ガスリフォーマのバーナの燃焼負荷を求め、
前記バーナの燃料ガスの組成を測定して、前記燃料ガスの低位発熱量を求め、
前記バーナの燃焼負荷と、前記燃料ガスの低位発熱量と、前記合成ガスリフォーマのバーナ性能曲線とから、前記燃料ガスの圧力の制御目標値を定め、
前記燃料ガスの圧力の制御目標値と、前記燃料ガスの圧力の測定値との偏差を求め、
前記バーナの入口側に備えられた圧力制御弁へ、前記偏差を補償するための制御出力を行うことで、前記合成ガスリフォーマの出口における合成ガスの温度制御を行う、ＧＴＬプラントの合成ガスリフォーマの運転方法。
【請求項２】
前記炉効率は、前記合成ガスリフォーマの燃焼排ガスの温度と、前記合成ガスリフォーマが要する熱量と、前記バーナの燃焼空気比と、前記燃料ガスの圧力と、の測定値から求めた値であることを特徴とする、請求項１に記載のＧＴＬプラントの合成ガスリフォーマの運転方法。
【発明の詳細な説明】
【技術分野】
【０００１】
本発明はＧＴＬプラントにおける合成ガスリフォーマの運転方法に関する。
【背景技術】
【０００２】
ＧＴＬ（Ｇａｓ  ｔｏ  Ｌｉｑｕｉｄｓ）は、軽質炭化水素ガスからナフサや軽油・灯油等の石油製品を製造する技術である。ＧＴＬプラントは、例えば、軽質炭化水素ガスとして天然ガスを改質して合成ガスを製造する合成ガスセクションと、合成ガスセクションで製造した合成ガスからフィッシャー・トロプシュ（ＦＴ）合成反応により液体炭化水素を合成するＦＴセクションと、ＦＴセクションで製造された液体炭化水素を水素化処理し、ナフサや軽油・灯油等製品油を得るアップグレーディングセクションとで構成される。
合成ガスセクションでは、天然ガスに、脱硫用水素を添加して脱硫した後、水蒸気と二酸化炭素（ＣＯ２）を混合し、合成ガスリフォーマに供給して改質し、一酸化炭素（ＣＯ）ガスと水素（Ｈ２）ガスとを主成分とする合成ガスを生成する。この際、合成ガスリフォーマ出口の合成ガスの温度管理が、合成ガス中のＨ２／ＣＯ比、ひいてはナフサ、軽油・灯油等の最終生成物の生成比率や純度に影響する。
【０００３】
合成ガスリフォーマの出口の合成ガスの温度を管理する方法としては、合成ガスリフォーマの熱供給源であるバーナ出力を合成ガスリフォーマ出口温度に応じて制御する、従来型の温度調節（ＴＣ）／圧力調節（ＰＣ）カスケード制御が挙げられる（例えば、非特許文献１）。当該制御方法について、図９、図１０を用いて説明する。図９は、加熱炉９００の温度制御システムを説明する図である。図１０は、従来法のカスケード制御ロジックを説明するフローチャートである。
図９の通り、加熱炉９００は、バーナ９０２と、加熱管９０４が備えられている。加熱炉９００の出口側には、出口温度を測定するための温度測定手段９２２、温度調節手段９２４が備えられている。バーナ９０２の入口側（燃料ガス供給側）には、圧力測定手段９３４と圧力制御弁９４０とが備えられ、圧力測定手段９３４と圧力制御弁９４０とは、圧力制御手段９３２に接続されている。
次に、加熱炉９００の出口の温度制御方法について説明する。被加熱流体９１０は、加熱管９０４を流通する間に、バーナ９０２により加熱されて、加熱済流体９１８となる。加熱炉９００の出口側に設置された温度測定手段９２２により、加熱済流体９１８の温度が測定され、その測定値に基づいて、制御弁９４０の開度調節が行われる。こうして、燃料ガス９１６の圧力および流量が調節されて、バーナ９０２の出力制御をすることで、加熱済流体９１８の温度制御が行われる。
【０００４】
上述のＴＣ／ＰＣカスケード制御の詳細について、図１０を用いて説明する。加熱炉９００の出口温度の目標値（ＳＶ）を定める（ステップＳ９６０）。加熱済流体９１８の温度を温度測定手段９２２で測定し、測定値（ＰＶ）を得る（ステップＳ９６２）。前記出口温度のＳＶとＰＶとの温度差ΔＴを温度調節手段９２４にて求め（ステップＳ９６４）、前記ΔＴを補償すべく、加熱炉出口温度の制御出力を行う（ステップＳ９６６）。次いで、圧力制御手段９３２に対して、燃料ガス９１６の圧力の制御目標値（ＳＶ）を定める（ステップＳ９６８）。圧力測定手段９３４で、燃料ガス９１６の圧力を測定し、測定値を得る（ステップＳ９７０）。前記燃料ガス９１６の圧力のＳＶとＰＶの圧力差ΔＰを求め（ステップＳ９７２）、圧力制御弁９４０に対して、圧力制御弁９４０の開度を定める制御出力を行う（ステップＳ９７４）ことで、バーナの出力制御がされ、加熱炉９００の出口温度の制御が行われる。
【非特許文献１】「計装ハンドブック」、プロセス計装制御技術協会、平成３年５月１日、ｐ．３−２９
【発明の開示】
【発明が解決しようとする課題】
【０００５】
しかしながら、ＧＴＬの合成ガスリフォーマに、上述したＴＣ／ＰＣカスケード制御を適用した場合には、下記のような要因により、加熱負荷または燃料ガス性状の急激な変動により、合成ガスリフォーマ出口温度の精密な制御が行えないという問題があった。
（１）      原料軽質炭化水素ガスの組成の変動
（２）      プラント運転ロード（製造負荷）変更
（３）      合成ガスリフォーマの運転条件（水蒸気／軽質炭化水素ガスの炭素数のモル比、ＣＯ２／軽質炭化水素ガスの炭素数のモル比、合成ガスリフォーマ出口温度）変更
（４）      ＦＴセクションの気泡塔型反応器の運転条件（転化率、リサイクル比）変更
（５）      アップグレーディングの運転条件（フラクショネーションスペック（蒸留塔の分離スペック））変更
合成ガスリフォーマ出口温度の精密な制御を行えないと、合成ガスの組成が変動し、Ｈ２／ＣＯ比等において、ＧＴＬの製造プロセス上の許容範囲外になる危険性がある。さらに、ＧＴＬプラントの各セクションから排出されたオフガスを混合して、合成ガスリフォーマの燃料ガスに供する場合には、合成ガスリフォーマ出口の温度制御はより困難となる。従来、上記のような変動要因が生じた場合には、手動操作による合成ガスリフォーマの運転制御を行うため、多大な時間と労力が必要であった。例えば、合成ガスリフォーマ出口温度の変動を抑えながら、プラント運転ロードを１０％程度増減させるには、所望のプラント運転ロードに移行するまでに８時間以上の時間を要することもあった。
そこで本発明は、合成ガスリフォーマ出口温度の精密な制御が行える、ＧＴＬプラントの合成ガスリフォーマの運転方法を提供することを目的とする。
【課題を解決するための手段】
【０００６】
本発明のＧＴＬプラントの合成ガスリフォーマの運転方法は、軽質炭化水素ガスに、少なくとも水蒸気とＣＯ２とを添加して混合流体とし、前記混合流体を加熱して、合成ガスを得る工程を有するＧＴＬプラントの、合成ガスリフォーマの運転方法であって、前記合成ガスリフォーマで得られる合成ガスのＨ２とＣＯとの流量と、前記合成ガスのＨ２のモル数／前記合成ガスのＣＯのモル数で表されるＨ２／ＣＯ比と、前記混合流体に添加する水蒸気のモル数／原料軽質炭化水素ガスの炭素のモル数で表される水蒸気／カーボン比と、前記混合流体に添加するＣＯ２のモル数／原料軽質炭化水素ガスの炭素のモル数で表されるＣＯ２／カーボン比と、前記合成ガスリフォーマの合成ガスの出口温度との制御目標値からなる運転条件を設定し、前記運転条件と、前記軽質炭化水素ガスの組成の測定値と、前記合成ガスリフォーマの入口における前記混合流体の温度の測定値と、前記合成ガスリフォーマの出口における合成ガスの圧力の測定値とから、前記軽質炭化水素ガスの流量と前記水蒸気の流量と前記ＣＯ２の流量との制御目標値と、前記合成ガスリフォーマが要する熱量を求め、前記軽質炭化水素ガスの流量の制御目標値と、前記水蒸気の流量の制御目標値と、前記ＣＯ２の流量の制御目標値とにより前記合成ガスリフォーマの運転負荷制御を行い、前記合成ガスリフォーマの炉効率を設定し、前記炉効率と、前記合成ガスリフォーマが要する熱量の値とから前記合成ガスリフォーマのバーナの燃焼負荷を求め、前記バーナの燃料ガスの組成を測定して、前記燃料ガスの低位発熱量を求め、前記バーナの燃焼負荷と、前記燃料ガスの低位発熱量と、前記合成ガスリフォーマのバーナ性能曲線とから、前記燃料ガスの圧力の制御目標値を定め、前記燃料ガスの圧力の制御目標値と、前記燃料ガスの圧力の測定値との偏差を求め、前記バーナの入口側に備えられた圧力制御弁へ、前記偏差を補償するための制御出力を行うことで、前記合成ガスリフォーマの出口における合成ガスの温度制御を行うことを特徴とする。
前記炉効率は、前記合成ガスリフォーマの燃焼排ガスの温度と、前記合成ガスリフォーマが要する熱量と、前記バーナの燃焼空気比と、前記燃料ガスの圧力と、の測定値から求めた値を用いることもできる。
【発明の効果】
【０００７】
本発明の合成ガスリフォーマの運転方法によれば、ＧＴＬプラントにおいて、合成ガスリフォーマの運転負荷および出口温度の精密な制御を行うことができる。
【発明を実施するための最良の形態】
【０００８】
本発明の実施形態の一例について、以下に説明する。まず、本発明の合成ガスリフォーマの運転方法に用いる、ＧＴＬプラントについて、図１、２を用いて説明する。図１は、本発明の実施に用いられるＧＴＬプラント８の模式図である。図２は、本発明の一実施形態にかかる合成ガスリフォーマ２０の模式図である。
なお、本発明における軽質炭化水素ガスとは、天然ガス、油田随伴ガス、ＬＰＧ等を指し、炭素数Ｃ１〜Ｃ５の炭化水素を示す。本実施形態の説明では、軽質炭化水素ガス原料として、天然ガスを例示して説明を行う。
【０００９】
ＧＴＬプラント８は、天然ガス等の軽質炭化水素ガス原料を液体燃料に転換するＧＴＬプロセスを実行するプラントである。図１に示すように、合成ガスセクション１０と、ＦＴセクション４０と、アップグレーディングセクション７０とで構成されている。合成ガスセクション１０は、炭化水素原料である天然ガスを改質して一酸化炭素ガス（ＣＯ）と水素ガス（Ｈ２）を含む合成ガスを生成する。ＦＴセクション４０は、生成された合成ガスからＦＴ合成反応により液体炭化水素であるＦＴオイルを生成する。アップグレーディングセクション７０は、ＦＴ合成反応により生成されたＦＴオイルを水素化・精製して液体燃料製品（ナフサ、灯油、軽油、ワックス等）を製造する。以下、これら各ユニットの構成要素について説明する。
【００１０】
合成ガスセクション１０は、例えば、脱硫反応器１３と、合成ガスリフォーマ２０と、排熱ボイラー１５と、スチームドラム１６と、気液分離器１７と、脱炭酸装置３０と、水素分離装置３６とを主に備える。
脱硫反応器１３は、天然ガス供給源１１、水素分離装置３６と接続されている。脱硫反応器１３の出口側と、二酸化炭素（ＣＯ２）供給源１２と、燃料ガスドラム２２とが合成ガスリフォーマ２０と接続されている。合成ガスリフォーマ２０の出口側には、排熱ボイラー１５が接続されている。排熱ボイラー１５は、スチームドラム１６と、気液分離器１７とに接続されている。スチームドラム１６の出口側は、高圧水蒸気貯留槽１８、合成ガスリフォーマ２０、排熱ボイラー１５と接続されている。気液分離器１７は脱炭酸装置３０と接続されている。脱炭酸装置３０の出口側は、水素分離装置３６、気泡塔型反応器（気泡塔型炭化水素合成反応器）４２の入口側と接続されている。水素分離装置３６は、配管３８により燃料ガスドラム２２と接続されている。
【００１１】
脱硫反応器１３は、水添脱硫装置等で構成され、原料である天然ガスから硫黄成分を除去する装置である。
排熱ボイラー１５は、合成ガスリフォーマ２０にて生成した合成ガスの排熱を回収して高圧水蒸気を発生する装置である。
スチームドラム１６は、排熱ボイラー１５において合成ガスとの熱交換により加熱された水を気体（高圧水蒸気）と液体とに分離する装置である。
気液分離器１７は、排熱ボイラー１５にて冷却された合成ガスから凝縮分を除去し気体分を脱炭酸装置３０に供給する装置である。
脱炭酸装置３０は、気液分離器１７から供給された合成ガスから吸収液を用いて炭酸ガスを除去する吸収塔３２と、当該炭酸ガスを含む吸収液から炭酸ガスを放散させて再生する再生塔３４とを有する装置である。
【００１２】
合成ガスリフォーマ２０は、脱硫反応器１３から供給された天然ガスを改質して、一酸化炭素ガス（ＣＯ）と水素ガス（Ｈ２）とを主成分として含む合成ガスを生成する装置である。合成ガスリフォーマ２０について、図２を用いて説明する。なお、説明の便宜上、図２では、天然ガスと水素ガスを混合した後に脱硫を行う脱硫反応器の図示を省略している。
図２の通り、合成ガスリフォーマ２０は、略円筒形状の加熱炉２０４と、加熱炉２０４に備えられたバーナ２００と、加熱炉２０４の略中心部に備えられた触媒管２０２と、加熱炉２０４に備えられた燃焼ガス排気口２０６とを有する。バーナ２００は、燃焼空気２２０の供給源と接続されている。また、バーナ２００は、燃料ガスドラム２２と接続されている。触媒管２０２の入口側には、天然ガス１１１とＣＯ２ガス１１２と水蒸気１１６と水素ガス１３６とを含む混合流体の温度（合成ガスリフォーマ２０の入口温度）を測定する温度測定手段２４０と、天然ガス１１１の流量を調節する流量制御弁２４１と、天然ガス１１１の組成測定手段２４３とが設置されている。加えて、ＣＯ２ガス１１２の流量を調節する流量制御弁２５０と、水蒸気１１６の流量を調節する流量制御弁２６０とが設置されている。流量制御弁２４１は流量制御手段２４２と、流量制御弁２５０は流量制御手段２５１と、流量制御弁２６０は流量制御手段２６１と、それぞれ接続されている。さらに、流量制御手段２４２、２５１、２６１は、運転制御システム２１８と接続されている。
バーナ２００の入口側には、燃料ガス１２２の圧力測定手段２１０、燃料ガスの組成測定手段２１３が設置され、圧力測定手段２１０の上流側には圧力制御弁２１４が設置されている。圧力測定手段２１０と圧力制御弁２１４とには、圧力制御手段２１２が接続されている。圧力制御手段２１２は、運転制御システム２１８と接続されている。
合成ガスリフォーマ２０の出口側には、合成ガス２３０の圧力を測定する圧力測定手段２１５と、合成ガス２３０の温度を測定する温度測定手段２１６が設置されている。そして、圧力測定手段２１５と、温度測定手段２１６とは、運転制御システム２１８に接続されている。
【００１３】
バーナ２００は燃料ガス１２２を燃焼させて、加熱炉２０４内に所望する熱量を与えることができれば特に限定されず、既存の装置を用いることができる。
触媒管２０２に充填される触媒は、水蒸気・二酸化炭素改質反応が行えるものであれば特に限定されず、例えば、ニッケル／アルミナ、ニッケル／マグネシア／アルミナ等のリフォーミング用触媒を用いることができる。
【００１４】
温度測定手段２１６、２４０は特に限定されず、例えば、熱電対型の温度計等、既存のものを用いることができる。
圧力測定手段２１０、２１５は特に限定されず、例えば、ダイヤフラム型等、既存の装置を用いることができる。
組成測定手段２１３、２４３は特に限定されず、例えば、ガスクロマトグラフィ等を挙げることができる。
圧力制御手段２１２は特に限定されず、運転制御システム２１８からの出力を受けて、圧力制御弁２１４の開度調節を行えるものであれば良い。
流量制御手段２４２、２５１、２６１は特に限定されず、運転制御システム２１８からの出力を受けて、流量制御弁２４１、２５０、２６０の開度調節を行えるものであれば良い。
【００１５】
水素分離装置３６は、脱炭酸装置３０により炭酸ガスが分離された合成ガスから、当該合成ガスに含まれる水素ガスの一部を水素分離ガスとして分離する装置である。
水素分離装置３６は、脱炭酸装置３０または気液分離器１７と気泡塔型反応器（気泡塔型炭化水素合成反応器）４２とを接続する主配管から分岐した分岐ラインに設けられる。この水素分離装置３６は、例えば、圧力差を利用して水素の吸着と脱着を行う水素分離装置（Ｐｒｅｓｓｕｒｅ  Ｓｗｉｎｇ  Ａｄｓｏｒｐｔｉｏｎ：圧力変動吸着）などで構成できる。この水素分離装置は、並列配置された複数の吸着塔内に吸着剤（ゼオライト系吸着剤、活性炭、アルミナ、シリカゲル等）を有しており、各吸着塔で水素の加圧、吸着、脱着（減圧）、パージの各工程を順番に繰り返すことで、合成ガスから分離した純度の高い水素ガス（例えば９９．９９９％程度）を、連続して所定の利用先へ供給することができる。なお、水素分離装置３６における水素ガス分離方法としては、上記水素分離装置のような圧力変動吸着法の例に限定されず、例えば、水素吸蔵合金吸着法、膜分離法、あるいは、これらの組合せなどであってもよい。
【００１６】
ＦＴセクション４０は、例えば、気泡塔型反応器４２と、スチームドラム４６と、分離器４４と、気液分離器５０とを主に備える。
気泡塔型反応器４２は、脱炭酸装置３０および分離器４４とに接続されている。気泡塔型反応器４２の冷却管４３は、スチームドラム４６と接続され、スチームドラム４６は、中圧水蒸気貯留槽４８と接続されている。気泡塔型反応器４２の出口側には気液分離器５０、分離器４４が接続され、気液分離器５０は、配管５２により燃料ガスドラム２２と接続されている。また、分離器４４と気液分離器５０とは、アップグレーディングセクション７０の第１精留塔７１と接続されている。
【００１７】
気泡塔型反応器４２は、合成ガスを液体炭化水素に合成する反応器の一例であり、ＦＴ合成反応により合成ガスから液体炭化水素を合成するＦＴ合成用反応器として機能する装置である。この気泡塔型反応器４２は、冷却管４３を有している。
【００１８】
スチームドラム４６は、気泡塔型反応器４２内に配設された冷却管４３内を流通して加熱された水を、水蒸気（中圧水蒸気）と液体とに分離する装置である。
分離器４４は、気泡塔型反応器４２に接続され、液体炭化水素と触媒粒子とを分離処理する装置である。
気液分離器５０は、未反応合成ガス、および、気体炭化水素を冷却分離する装置である。
【００１９】
アップグレーディングセクション７０は、例えば、第１精留塔７１、ＷＡＸ分水素化分解反応器７２と、灯油・軽油留分水素化精製反応器７４と、ナフサ留分水素化精製反応器７６と、気液分離器７８、８０、８２と、第２精留塔８４と、ナフサ・スタビライザー８６とを備える。
第１精留塔７１の下部には、ＷＡＸ分水素化分解反応器７２が接続されている。第１精留塔７１の中央部には、灯油・軽油留分水素化精製反応器７４が接続されている。第１精留塔７１の上部には、ナフサ留分水素化精製反応器７６が接続されている。ＷＡＸ分水素化精製反応器７２には気液分離器７８が接続され、灯油・軽油留分水素化精製反応器７４には気液分離器８０が接続され、ナフサ留分水素化精製反応器７６には気液分離器８２が接続されている。気液分離器８２は、ナフサ・スタビライザー８６と接続されている。気液分離器７８、８０は、第２精留塔８４と接続されている。第２精留塔８４は、ナフサ・スタビライザー８６、灯油貯留槽９２、軽油貯留槽９４に接続されている。ナフサ・スタビライザー８６は、ナフサ貯留槽９０と接続される一方、配管８７により燃料ガスドラム２２と接続されている。
【００２０】
第１精留塔７１は、気泡塔型反応器４２から分離器４４、気液分離器５０を介して供給された液体炭化水素を蒸留し、沸点に応じて各留分に分離・精製する装置である。
第２精留塔８４は、気液分離器７８、８０から供給された液体炭化水素を沸点に応じて分離・精製する装置である。
ナフサ・スタビライザー８６は、気液分離器８２、および、第２精留塔８４から供給されたナフサ留分の液体炭化水素を精留して、ブタンより軽い成分をアップグレーディングオフガスとして排出して燃料ガスドラム２２に供給し、炭素数が５以上の成分を製品のナフサとして分離・回収する装置である。
【００２１】
ＧＴＬプラント８による石油製品の製造方法について、図１〜３を用いて説明する。図３は、ＧＴＬプラント８における石油製品の製造工程と、燃料ガス１２２の流通の概略を説明するフロー図である。
まず、図３によりＧＴＬプラント８による石油製品の製造方法の概要を説明する。図３の通り、天然ガス１１１と、ＣＯ２ガス１１２と、水蒸気１１６と、水素ガス１３６とを含む混合流体が、合成ガスセクション１０に供給される。燃料ガスドラム２２からは、燃料ガス１２２が、合成ガスセクション１０の合成ガスリフォーマ２０（図２）のバーナ２００に供給される。天然ガス１１１は、合成ガスセクション１０で改質されて精製合成ガス１０３となり、ＦＴセクション４０に送られる。他方、副次的に産生される水素分離オフガス１０２は、燃料ガスドラム２２に送られる。次いで、ＦＴセクション４０では、精製合成ガス１０３をＦＴオイル１０５とし、ＦＴオイル１０５は、アップグレーディングセクション７０に送られる。副次的に産生されるＦＴオフガス１０４は、燃料ガスドラム２２に送られる。アップグレーディングセクション７０では、ナフサ１９０、灯油１９２、軽油１９４が精製される。一方、副次的に産生されるアップグレーディングオフガス１０６は、燃料ガスドラム２２へ送られる。加えて、天然ガス１１１の一部は、燃料ガスとして燃料ガスドラム２２に送られる。こうして、燃料ガスドラム２２は、天然ガス１１１と、水素分離オフガス１０２と、ＦＴオフガス１０４と、アップグレーディングオフガス１０６とが混合された燃料ガス１２２を貯留し、バーナ２００に供給する。
【００２２】
図１、２を用いて、詳細に説明する。ＧＴＬプラント８には、天然ガス田または天然ガスプラント等の外部の天然ガス供給源１１から、軽質炭化水素ガスとしての天然ガス（主成分がＣＨ４）１１１が供給される。上記合成ガスセクション１０は、この天然ガス１１１を改質して精製合成ガス（一酸化炭素ガスと水素ガスを主成分とする混合ガス）１０３を製造する。
まず、天然ガス１１１は、水素分離装置３６によって分離された水素ガス１３６と共に脱硫反応器１３に供給される。脱硫反応器１３は、水素ガス１３６を用いて天然ガス１１１に含まれる硫黄分を例えばＺｎＯ触媒で水添脱硫する。このようにして天然ガス１１１を予め脱硫しておくことにより、合成ガスリフォーマ２０、および、気泡塔型反応器４２等で用いられる触媒の活性が硫黄により低下することを防止できる。
【００２３】
脱硫された天然ガス１１１（二酸化炭素を含んでもよい）は、ＣＯ２供給源１２から供給されるＣＯ２ガス１１２と、排熱ボイラー１５で発生した水蒸気１１６と、脱硫反応器１３での水添脱硫の際に添加された水素ガス１３６とが混合した混合流体として、合成ガスリフォーマ２０に供給される。合成ガスリフォーマ２０は、水蒸気・炭酸ガス改質法により、ＣＯ２ガス１１２と水蒸気１１６とを用いて天然ガス１１１を改質して、一酸化炭素ガスと水素ガスとを主成分とする高温の合成ガスを生成する。このとき、合成ガスリフォーマ２０のバーナ２００に、燃料ガス１２２と空気とが供給され、当該バーナ２００における燃料ガス１２２の燃焼熱および合成ガスリフォーマ２０の加熱炉２０４内の輻射熱により、吸熱反応である水蒸気・二酸化炭素改質反応に必要な反応熱がまかなわれている。
【００２４】
合成ガスリフォーマ２０では、例えば、下記式（１）、（２）で表される水蒸気・炭酸ガス改質法により、ＣＯ２ガス１１２と水蒸気１１６とを用いて天然ガスを改質して、一酸化炭素ガスと水素ガスとを主成分とする高温の合成ガスが生成される。
【００２５】
ＣＨ４＋Ｈ２Ｏ→ＣＯ＋３Ｈ２    ・・・（１）
ＣＨ４＋ＣＯ２→２ＣＯ＋２Ｈ２  ・・・（２）
【００２６】
このようにして合成ガスリフォーマ２０で生成された高温の合成ガス（例えば、９００℃、２．０ＭＰａＧ）は、排熱ボイラー１５に供給され、排熱ボイラー１５内を流通する水との熱交換により冷却（例えば２８０℃）されて、排熱回収される。このとき、排熱ボイラー１５において合成ガスにより加熱された水はスチームドラム１６に供給され、このスチームドラム１６から、気体分が高圧水蒸気（例えば３．４〜１０．０ＭＰａＧ）として合成ガスリフォーマ２０、または、高圧水蒸気貯留槽１８を経由して他の外部装置に供給され、液体分の水が排熱ボイラー１５に戻される。
【００２７】
一方、排熱ボイラー１５において冷却された合成ガスは、凝縮液分が気液分離器１７において分離・除去された後、脱炭酸装置３０の吸収塔３２に供給される。吸収塔３２は、貯留している吸収液内に、合成ガスに含まれる炭酸ガスを吸収することで、当該合成ガスから炭酸ガスを分離する。この吸収塔３２内の炭酸ガスを含む吸収液は、再生塔３４に導入され、当該炭酸ガスを含む吸収液は例えば水蒸気で加熱されてストリッピング処理され、放散された炭酸ガスは、再生塔３４から合成ガスリフォーマ２０に送られて、上記改質反応に再利用される。
【００２８】
このようにして、合成ガスセクション１０で生成された精製合成ガス１０３は、ＦＴセクション４０の気泡塔型反応器４２へ供給される。気泡塔型反応器４２に供給される合成ガスの組成比は、ＦＴ合成反応に適した組成比（例えば、Ｈ２：ＣＯ＝２：１（モル比））に調節されている。なお、気泡塔型反応器４２に供給される合成ガスは、脱炭酸装置３０と気泡塔型反応器４２とを接続する配管に設けられた圧縮機（図示せず）により、ＦＴ合成反応に適切な圧力（例えば３．６ＭＰａＧ）まで昇圧される。ただし、上記圧縮機は、設ける必要がない場合もある。
【００２９】
また、上記脱炭酸装置３０により炭酸ガスが分離された精製合成ガス１０３の一部は、水素分離装置３６にも供給される。水素分離装置３６は、圧力差を利用した吸着、脱着（ＰＳＡ）により、合成ガスに含まれる水素ガス１３６を分離する。当該分離された水素ガス１３６は、ガスホルダー（図示せず）等から圧縮機（図示せず）を介して、ＧＴＬプラント８内において水素を利用して所定反応を行う各種の水素利用反応装置（例えば、脱硫反応器１３、ＷＡＸ分水素化分解反応器７２、灯油・軽油留分水素化精製反応器７４、ナフサ留分水素化精製反応器７６など）に、連続して供給される。一方、水素分離後の水素分離オフガス１０２は、水素分離装置３６から、配管３８を経由して、燃料ガスドラム２２に送られる。
【００３０】
次いで、ＦＴセクション４０は、上記合成ガスセクション１０によって生成された精製合成ガス１０３から、ＦＴ合成反応により、ＦＴオイル１０５を合成する。
【００３１】
具体的には、上記合成ガスセクション１０によって生成された精製合成ガス１０３は、気泡塔型反応器４２の底部から流入されて、反応器本体内の、液体炭化水素（ＦＴ合成反応の生成物）と触媒粒子との懸濁物であるスラリー中を上昇する。この際、反応器本体内では、ＦＴ合成反応により、精製合成ガス１０３に含まれる一酸化炭素と水素ガスとが反応して、炭化水素が生成される。さらに、この合成反応時には、冷却管４３内に水を流通させることで、ＦＴ合成反応の反応熱を除去し、この熱交換により加熱された水が気化して水蒸気となる。この水蒸気は、スチームドラム４６で液化した水が冷却管４３に戻されて、気体分が中圧水蒸気（例えば１．０〜２．５ＭＰａＧ）として、中圧水蒸気貯留槽４８を経由して外部装置に供給される。
【００３２】
こうして、気泡塔型反応器４２で合成された液体炭化水素は、スラリーとして気泡塔型反応器４２から取り出されて、分離器４４に導入される。分離器４４は、取り出されたスラリーを触媒粒子等の固形分と、液体炭化水素を含んだ液体分とに分離する。分離された触媒粒子等の固形分は、その一部を気泡塔型反応器４２に戻される。また、気泡塔型反応器４２の未反応ガス出口からは、未反応の合成ガスと、合成された炭化水素のガス分とが気液分離器５０に導入される。気液分離器５０は、これらのガスを冷却して、一部の凝縮分の液体炭化水素を含む液体を分離する。分離器４４で分離された液体分と、気液分離器５０で分離された液体とを合わせたＦＴオイル１０５が、第１精留塔７１に供給される。一方、気液分離器５０で分離されたガス分については、未反応の合成ガス（ＣＯとＨ２）は、気泡塔型反応器４２の底部に再投入されてＦＴ合成反応に再利用される。また、炭素数が少ない（Ｃ４以下）炭化水素ガスを主成分とするＦＴオフガス１０４は、配管５２を経由して燃料ガスドラム２２へ送られる。
気泡塔型反応器４２では、接触反応により、液体炭化水素の合成反応（ＦＴ合成反応）が行われる。具体的には、下記式（３）に示すように水素ガスと一酸化炭素ガスとが合成反応を起こす。
【００３３】
２ｎＨ２＋ｎＣＯ→（−ＣＨ２−）ｎ＋ｎＨ２Ｏ  ・・・（３）
【００３４】
アップグレーディングセクション７０の第１精留塔７１は、上記のようにして気泡塔型反応器４２から分離器４４、気液分離器５０を介して供給されたＦＴオイル（炭素数は多様）１０５を加熱して、沸点の違いを利用して分留し、ナフサ留分（沸点が約１５０℃未満）と、灯油・軽油留分（沸点が約１５０〜３５０℃）と、ＷＡＸ分（沸点が約３５０℃より大）とに分離・精製する。この第１精留塔７１の底部から取り出されるＷＡＸ分の液体炭化水素（主としてＣ２１以上）は、ＷＡＸ分水素化分解反応器７２に送られ、第１精留塔７１の中央部から取り出される灯油・軽油留分の液体炭化水素（主としてＣ１１〜Ｃ２０）は、灯油・軽油留分水素化精製反応器７４に送られ、第１精留塔７１の上部から取り出されるナフサ留分の液体炭化水素（主としてＣ５〜Ｃ１０）は、ナフサ留分水素化精製反応器７６に送られる。
【００３５】
ＷＡＸ分水素化分解反応器７２は、第１精留塔７１の下部から供給された炭素数の多いＷＡＸ分の液体炭化水素（概ねＣ２１以上）を、上記水素分離装置３６から供給された水素ガス１３６を利用して水素化分解して、炭素数をＣ２０以下に低減する。この水素化分解反応では、触媒と熱を利用して、炭素数の多い炭化水素のＣ−Ｃ結合を切断して、炭素数の少ない低分子量の炭化水素を生成する。このＷＡＸ分水素化分解反応器７２により、水素化分解された液体炭化水素を含む生成物は、気液分離器７８で気体と液体とに分離され、そのうち液体炭化水素は、第２精留塔８４に送られる。一方、気体分（水素ガスを含む）は、灯油・軽油留分水素化精製反応器７４、および、ナフサ留分水素化精製反応器７６に送られる。
【００３６】
灯油・軽油留分水素化精製反応器７４は、第１精留塔７１の中央部から供給された炭素数が中程度である灯油・軽油留分の液体炭化水素（概ねＣ１１〜Ｃ２０）を、水素分離装置３６からＷＡＸ分水素化分解反応器７２を介して供給された水素ガス１３６を用いて、水素化精製する。この水素化精製反応は、上記液体炭化水素の異性化、および、不飽和結合に水素を付加して飽和させ、主に側鎖状飽和炭化水素を生成する反応である。この結果、水素化精製された液体炭化水素を含む生成物は、気液分離器８０で気体と液体に分離され、そのうち液体炭化水素は、第２精留塔８４に送られる。一方、気体分（水素ガスを含む）は、上記水素化反応に再利用される。
【００３７】
ナフサ留分水素化精製反応器７６は、第１精留塔７１の上部から供給された炭素数が少ないナフサ留分の液体炭化水素（概ねＣ１０以下）を、水素分離装置３６からＷＡＸ分水素化分解反応器７２を介して供給された水素ガス１３６を用いて、水素化精製する。この結果、水素化精製された液体炭化水素を含む生成物は、気液分離器８２で気体と液体に分離され、そのうち液体炭化水素は、ナフサ・スタビライザー８６に送られ、気体分（水素ガスを含む）は、上記水素化反応に再利用される。
【００３８】
次いで、第２精留塔８４は、上記のようにしてＷＡＸ分水素化分解反応器７２、および、灯油・軽油留分水素化精製反応器７４から、気液分離器７８、８０を経由して供給された液体炭化水素を蒸留して、炭素数がＣ１０以下の炭化水素（沸点が約１５０℃未満）と、灯油（沸点が約１５０〜２５０℃）１９２と、軽油（沸点が約２５０〜３５０℃）１９４、および、ＷＡＸ水素化分解反応器７８からの未分解ＷＡＸ分（沸点約３５０℃）とに分離・精製する。第２精留塔８４の下部からは軽油１９４が取り出されて軽油貯留槽９４に貯留され、中央部からは灯油１９２が取り出されて灯油貯留槽９２に貯留される。一方、第２精留塔８４の塔頂からは、炭素数がＣ１０以下の炭化水素ガスが取り出されて、ナフサ・スタビライザー８６に供給される。
【００３９】
さらに、ナフサ・スタビライザー８６では、上記ナフサ留分水素化精製反応器７６、および、第２精留塔８４から供給された炭素数がＣ１０以下の炭化水素を蒸留して、製品としてのナフサ（Ｃ５〜Ｃ１０）１９０を分離・精製する。これにより、ナフサ・スタビライザー８６の下部からは、高純度のナフサ１９０が取り出され、ナフサ貯留槽９０に貯留される。一方、ナフサ・スタビライザー８６の塔頂からは、炭素数が所定数以下（Ｃ４以下）の炭化水素を主成分とする排ガスが、アップグレーディングオフガス１０６として排出される。アップグレーディングオフガス１０６は、配管８７により燃料ガスドラム２２へ送られる。
【００４０】
合成ガスリフォーマ２０の運転は、以下に説明する方法により制御される。合成ガスリフォーマ２０の運転方法につき、図４、５を用いて詳細に説明する。図４は、合成ガスリフォーマ２０の出口温度（合成ガス温度）の制御方法の一例を説明するためのフローチャートである。図５は、バーナ性能曲線であって、合成ガスリフォーマのバーナ発熱量と燃料ガス圧力との関係を示すグラフである。なお、図４中、リフォーマとは合成ガスリフォーマを指す。また、ＳＶとは制御目標値であることを表し、ＰＶとは測定値であることを表し、ＭＶとは制御出力を表す。
【００４１】
図４に示すように、合成ガスリフォーマ２０で製造するＨ２とＣＯとの合計流量の目標値である運転ロード（運転負荷）の割合を設定する（ステップＳ３０２）。
合成ガスリフォーマ２０で製造するＨ２とＣＯとの、Ｈ２のモル数／ＣＯのモル数で表されるＨ２／ＣＯ比の制御目標値を設定する（ステップＳ３０４）。
原料天然ガス１１１に混合する水蒸気１１６のモル数／原料天然ガス１１１の炭素のモル数で表されるＳ／Ｃ比の制御目標値を設定する（ステップＳ３０６）。
原料天然ガス１１１に混合するＣＯ２ガス１１２のモル数／原料天然ガス１１１の炭素のモル数で表されるＣＯ２／Ｃ比の制御目標値を設定する（ステップＳ３０８）。
そして、合成ガスリフォーマ２０の出口温度の制御目標値を設定し（ステップＳ３１０）、運転条件を設定する（ステップＳ３００）。
【００４２】
次いで、天然ガス１１１の組成を組成測定手段２４３で測定し（ステップＳ３２２）、合成ガスリフォーマ２０の入口温度を温度測定手段２４０で測定し（ステップＳ３２４）、合成ガスリフォーマ２０の出口圧力を圧力測定手段２１５で測定する（ステップＳ３２６）。
【００４３】
ステップＳ３２２、Ｓ３２４、Ｓ３２６とで得られた測定値と、ステップＳ３００で設定した運転条件とから、触媒管内物質収支計算により天然ガス１１１の流量の制御値を求めて、流量制御手段２４２へ出力する（ステップＳ３３２）。流量制御手段２４２は、前記出力に基づき、流量制御弁２４１の開度を調節する。
ステップＳ３２２、Ｓ３２４、Ｓ３２６とで得られた測定値と、ステップＳ３００で設定した運転条件とから、Ｓ／Ｃ比により水蒸気１１６の流量の制御値を求めて、流量制御手段２６１へ出力する（ステップＳ３３４）。流量制御手段２６１は、前記出力に基づき、流量制御弁２６０の開度を調節する。
ステップＳ３２２、Ｓ３２４、Ｓ３２６とで得られた測定値と、ステップＳ３００で設定した運転条件とから、ＣＯ２／Ｃ比によりＣＯ２ガス１１２の流量の制御値を求めて、流量制御手段２５１へ出力する（ステップＳ３３６）。流量制御手段２５１は、前記出力に基づき、流量制御弁２５０の開度を調節する。
こうして、合成ガスリフォーマ２０の運転負荷制御を行う。
【００４４】
一方で、ステップＳ３２２、Ｓ３２４、Ｓ３２６とで得られた測定値と、ステップＳ３００で設定した運転条件とから、触媒管内熱収支計算により、合成ガスリフォーマ２０で合成ガスの生成に要する熱量であるプロセスデューティを求める（ステップＳ３３８）。ここでいうプロセスデューティとは、触媒管２０２内での反応に要する熱量であり、言い換えれば、合成ガスリフォーマ２０の入口における混合流体と、出口における合成ガス２３０とのエンタルピーの差である。
【００４５】
次いで、炉効率を設定し（ステップＳ３４０）、前記リフォーマプロセスデューティを補正し、バーナ２００のバーナ燃焼負荷を求める（ステップＳ３４２）。バーナ燃焼負荷は、例えば、ステップＳ３３８で求められたリフォーマプロセスデューティがｘＭＷ（メガワット）であり、炉効率がｙ％の場合、下記式を用いて求めることができる。例えば、リフォーマプロセスデューティを１７．０１７ＭＷ、炉効率のＳＶが５２．０％の場合には、下記式より、バーナ燃焼負荷３２．７５ＭＷを求めることができる。
【００４６】
バーナ燃焼負荷（ＭＷ）＝ｘ÷ｙ％  ・・・（４）
【００４７】
燃料ガス１２２の組成を組成測定手段２１３で測定し（ステップＳ３５２）、得られた燃料ガス１２２の組成を基に、下記式により燃料ガスＬＨＶ（低位発熱量）を求める（ステップＳ３５４）。バーナ発熱量と燃料ガスの圧力との相関関係をＬＨＶ毎に表すバーナ性能曲線を求める（ステップＳ３５６）。
ここで、ＬＨＶとは、水（液体）から水蒸気（気体）にするための熱エネルギー（潜熱）を除いた発熱量を言う。
【００４８】
【数１】
0005173531.tif 000002
【００４９】
次いで、ステップＳ３４２で求められたバーナ燃焼負荷、即ち、リフォーマプロセスデューティを賄うためのバーナ２００の発熱量と、ステップＳ３５４で求められたバーナ燃料ガスＬＨＶとをステップＳ３５６で求めたバーナ性能曲線に当てはめて、バーナ燃料ガス圧力の制御目標値（ＳＶ）を求める（ステップＳ３５８）。
【００５０】
ステップＳ３５８のバーナ燃料ガス圧力のＳＶは、例えば、図５に示すバーナ性能曲線を用いて求めることができる。図５では、縦軸に合成ガスリフォーマ２０のバーナ２００の１台当たりの発熱量を取り、横軸には燃料ガス１２２の圧力を取り、バーナ２００の発熱量と燃料ガス１２２の圧力との相関関係を表示している。凡例（ａ）は、ＬＨＶ＝３９７００ｋＪ／Ｎｍ３の際のバーナ性能を示し、凡例（ｂ）は、ＬＨＶ＝３３６００ｋＪ／Ｎｍ３の際のバーナ性能を示し、凡例（ｃ）は、ＬＨＶ＝２５０００ｋＪ／Ｎｍ３の際のバーナ性能を示し、凡例（ｄ）は、ＬＨＶ＝１７９００ｋＪ／Ｎｍ３の際のバーナ性能を示し、凡例（ｅ）は、ＬＨＶ＝１３６００ｋＪ／Ｎｍ３の際のバーナ性能を示している。なお、「Ｎｍ３」とは、「ｍ３（標準状態）」を表すものとする（以降において同じ）。
ステップＳ３５４で求められたバーナ燃料ガスＬＨＶに対応するバーナ２００の発熱量と燃料ガス１２２の圧力との関係を示すグラフを選定する。ステップＳ３４２で求められたバーナ燃焼負荷の値をバーナ２００の１台当たりの発熱量として当てはめ、対応する燃料ガス１２２の圧力を求めることができる。
【００５１】
次いで、合成ガスリフォーマ２０の燃料ガス１２２の圧力を圧力測定手段２１０により測定し、燃料ガス圧力の測定値（ＰＶ）を得る（ステップＳ３６０）。そして、ステップＳ３５８で求められた燃料ガス圧力のＳＶと、ステップＳ３６０で得られた燃料ガス圧力ＰＶとの差、ΔＰを求める（ステップＳ３７０）。そして、ステップＳ３７０で求められたΔＰに基づいて、該ΔＰを補償するように運転制御システム２１８から圧力制御手段２１２に対して、制御出力を行う（ステップＳ３７２）。
圧力制御手段２１２では、前記制御出力に基づいて、圧力制御弁２１４の開度を決定し、圧力制御弁２１４の開度調節を行う。
【００５２】
なお、温度測定手段２１６では、合成ガスリフォーマ２０出口の合成ガス２３０の温度を測定して、合成ガスリフォーマ２０出口の温度が規定の範囲を逸脱しないように、燃料ガス１１１の圧力の変化分を調整するために用いられる。
【００５３】
合成ガスリフォーマ２０の出口温度は、最終生成物の石油製品の比率や量等を勘案して決定することができ、例えば、８５０〜９５０℃の範囲で決定することが好ましい。上記範囲の下限値未満であると原料転化率が低く、触媒管２０２の本数を増やす必要があり、上記範囲の上限値を超えると、触媒管等の材質が高級化して、いずれも経済性が悪いためである。
【００５４】
Ｈ２／ＣＯ比ＳＶは、ＦＴセクション４０からの要求に従い、１．９０〜２．１０の範囲で設定される。上記範囲外では、転化率の低下、生成物分布の異常、触媒劣化等、ＦＴ反応上の不都合が生じるためである。
【００５５】
Ｓ／Ｃ比ＳＶは、０．９〜２．０に設定される。０．９未満では、合成ガスリフォーマ２０の触媒にカーボンが析出し、運転困難となる恐れがあり、２．０を超えると合成ガスリフォーマ２０の熱効率が低下して経済的な不利が生じるためである。
【００５６】
炉効率は、使用する合成ガスリフォーマ２０の形状や容量に応じて決定することができ、例えば、５０〜６０％の範囲で設定することができる。
【００５７】
上述したように、本発明の合成ガスリフォーマの運転方法によれば、合成ガスリフォーマに必要な熱量を随時算出し、該熱量に必要な燃料ガス量に応じて、燃料ガス圧力の調節を行うことができる。この結果、燃料ガス組成の変動、運転ロードの変更、合成ガスリフォーマの運転条件の変更、気泡塔型反応器の運転条件の変更、アップグレーディングセクションの運転条件の変更にも対応し、合成ガスリフォーマに適切な熱量を与えることができる。そして、合成ガスリフォーマ出口の合成ガス温度を精密に制御することで、合成ガスの組成を制御し、生成される石油製品の組成、品質の安定化を図ることができる。
【００５８】
上述の実施形態では、任意の炉効率を設定している（ステップＳ３４０）が、炉効率は、例えば次のように設定しても良い。炉効率の設定方法について、図６を用いて説明する。図６は、合成ガスリフォーマ２０の出口温度（合成ガス温度）の制御方法の一例を説明するためのフローチャートである。なお、図６中、リフォーマとは合成ガスリフォーマを指す。また、ＳＶとは制御目標値であることを表し、ＰＶとは測定値であることを表し、ＭＶとは制御出力を表す。
合成ガスリフォーマ２０における燃焼排ガス２３２（図２）の温度を測定する（ステップＳ４３２）。バーナ２００に供給する燃焼空気２２０と燃料ガス１２２の流量を測定して、燃焼空気２２０のモル数／燃料ガス１２２のモル数で表される燃料空気比を求める（ステップＳ４３４）。燃料ガス１２２の圧力を圧力測定手段２１０で測定する（ステップＳ４３６）。１回前の制御周期において行った、燃料ガス１２２の圧力制御の出力にあたり、ステップＳ３３８で求めたリフォーマプロセスデューティの値を現在値（ＰＶ）として入力する（ステップＳ４３８）。例えば、１秒毎にステップＳ３７２による出力と制御を実施している場合には、１秒前のステップＳ３３８で求められたリフォーマプロセスデューティを入力する。そして、燃焼排ガス２３２の温度と、燃焼空気比、燃料ガス１２２の圧力とから求めたバーナの発熱量をｐＭＷとし、ステップＳ４３８で入力したリフォーマプロセスデューティの値をｑＭＷとした場合、下記式により炉効率ＰＶを求める（ステップＳ４４０）。例えば、求めたバーナ発熱量が３３．３ＭＷであって、ステップＳ４３８で入力したリフォーマプロセスデューティが１７．０ＭＷである場合、下記式より、炉効率ＰＶ＝５１．０５％が求まる。
【００５９】
炉効率ＰＶ＝ｐ÷ｑ    ・・・（６）
【００６０】
こうして、得られた炉効率ＰＶと、ステップＳ３３８で設定されたリフォーマプロセスデューティとから、バーナ２００の燃焼負荷を求めることができる。
【実施例】
【００６１】
以下、本発明について実施例を挙げて具体的に説明するが、実施例に限定されるものではない。
図１に示すプロセス構成をもち、ＧＴＬ製品として５２７ＢＰＤ（８３．８ｍ３／日、ＢＰＤは日産量であるＢａｒｒｅｌ ｐｅｒ ｄａｙを表す）の容量をもつ実証プラントを用い、合成ガスリフォーマ定常運転負荷／出口温度制御および運転負荷変化試験を実施した。
なお、ＧＴＬ製品５２７ＢＰＤの内訳は、ナフサ１６３ＢＰＤ（２５．９ｍ３／日）、灯油２０８ＢＰＤ（３３．０７ｍ３／日）、軽油１５６ＢＰＤ（２４．８ｍ３／日）である。また、ＧＴＬ製品５２７ＢＰＤは、合成ガスとしてＨ２＋ＣＯ＝１７０３０Ｎｍ３／ｈに相当する。該合成ガスリフォーマは、触媒管４８本、および、バーナー２４台を有する。
【００６２】
（実施例１）合成ガスリフォーマの定常運転負荷および出口温度制御試験１
本願の方法に則り、運転ロードＳＶ＝１００％（Ｈ２＋ＣＯ＝１７０３０Ｎｍ３／ｈ）、Ｈ２／ＣＯ比ＳＶ＝２．０１５、Ｓ／Ｃ（水蒸気／カーボン）比ＳＶ＝１．０８６、ＣＯ２／Ｃ（ＣＯ２／カーボン）比ＳＶ＝０．４２、および、合成ガスリフォーマ出口温度ＳＶ＝８９０℃を指定した。
次いで、原料天然ガス組成ＰＶとして、オンラインガスクロマトグラフより、天然ガス中の炭素モル数、および、水素モル数を求め、合成ガスリフォーマの入口の混合流体温度ＰＶ、および、合成ガスリフォーマの出口圧力ＰＶを用いて、合成ガスリフォーマ運転負荷（原料天然ガス流量、スチーム流量、ＣＯ２流量）制御試験を行った。その結果を表１に示す。なお、表１中の各流量の値は、１時間（３６００点）に亘る平均値、および、その変動幅は標準偏差をもって示す。
【００６３】
次いで、触媒管内熱収支計算により求めたリフォーマプロセスデューティと、指定した炉効率＝５２．０％とからバーナ燃焼負荷を求めた。オンラインガスクロマトグラフによりバーナ燃料ガス組成ＰＶを測定し、バーナ燃料ガス組成ＰＶからバーナ燃料ガスＬＨＶを求めた。求めたバーナ燃料ガスＬＨＶと、数値モデル化されたバーナ性能曲線（図５）を用いてバーナ燃料ガス圧力を決定した。この際、合成ガスリフォーマ出口の温度制御に係わる変数を表１に示す。なお、各変数は、１時間（３６００点）に亘る平均値をもって示す。
【００６４】
決定されたバーナ燃料ガス圧力を圧力制御手段に制御出力し、合成ガスリフォーマの運転を行った。合成ガスリフォーマの定常運転負荷、および、出口温度制御の結果を表１に示す。なお、Ｈ２＋ＣＯ生産量（Ｎｍ３／ｈ）、Ｈ２／ＣＯ比、合成ガスリフォーマ出口温度（℃）は、いずれも１時間（３６００点）に亘る平均値、および、その変動幅は標準偏差をもって示す。
【００６５】
（実施例２）合成ガスリフォーマの定常運転負荷および出口温度制御試験２
Ｓ／Ｃ比ＳＶ＝１．０９８、合成ガスリフォーマ出口温度ＳＶ＝９００℃、炉効率＝５１．４％を指定した以外は、実施例１と同一の条件で合成ガスリフォーマ定常運転負荷および出口温度制御試験を実施し、その結果を表１に示す。
【００６６】
（実施例３）合成ガスリフォーマの定常運転負荷および出口温度制御試験３
Ｓ／Ｃ比ＳＶ＝１．１１０、合成ガスリフォーマの出口温度ＳＶ＝９１０℃、炉効率＝５０．９％を指定した以外は、実施例１と同一の条件で合成ガスリフォーマ定常運転負荷および出口温度制御試験を実施し、その結果を表１に示す。
【００６７】
ＧＴＬプラントの起動操作は、合成ガスセクション→ＦＴセクション→アップグレーディングセクションの順で実施される。最初に合成ガスセクションを立上げ、部分負荷（５０〜６０％）を維持しながら、下流側のＦＴセクションとアップグレーディングセクションとの立上げを待機する形式を取る。なお、この際の合成ガスリフォーマの燃料ガスは、水素分離オフガス、および、天然ガスで賄われる。合成ガスセクションのこのような待機運転中においても、合成ガスリフォーマの運転負荷および出口温度の精密な制御が求められる。本実施例では、かかる合成ガスリフォーマの待機運転を想定した運転負荷および出口温度制御試験を実施した。
【００６８】
（実施例４）合成ガスリフォーマの待機運転負荷および出口温度制御試験１
ＳＶ＝５０％（Ｈ２＋ＣＯ＝８５１５Ｎｍ３／ｈ）、Ｈ２／ＣＯ比ＳＶ＝２．０１５、Ｓ／Ｃ比ＳＶ＝１．０８６、ＣＯ２／Ｃ比ＳＶ＝０．４２、合成ガスリフォーマ出口温度ＳＶ＝８９０℃を指定した。
次いで、原料天然ガス組成ＰＶとして、オンラインガスクロマトグラフより、天然ガス中の炭素モル数、および、水素モル数を求め、合成ガスリフォーマ入口の混合流体温度ＰＶ、および、合成ガスリフォーマの出口圧力ＰＶを用いて、合成ガスリフォーマの運転負荷（原料天然ガス流量、スチーム流量、ＣＯ２）制御試験を行った。その結果を表１に示す。なお、表１中の各流量の値は、１時間（３６００点）に亘る平均値、および、その変動幅は標準偏差をもって示す。
【００６９】
次いで、触媒管内熱収支計算により求めたリフォーマプロセスデューティと、指定した炉効率＝４９．１％とからバーナ燃焼負荷を求めた。オンラインガスクロマトグラフによりバーナ燃料ガス組成ＰＶを測定し、バーナ燃料ガス組成ＰＶからバーナ燃料ガスＬＨＶを求めた。求めたバーナ燃料ガスＬＨＶと、数値モデル化されたバーナ性能曲線（図５）を用いてバーナ燃料ガス圧力を決定した。この際、合成ガスリフォーマ出口の温度制御に係わる変数を表１に示す。なお、各変数は、１時間（３６００点）に亘る平均値をもって示す。
【００７０】
決定されたバーナ燃料ガス圧力を圧力制御手段に制御出力し、合成ガスリフォーマの運転を行った。合成ガスリフォーマの定常運転負荷、および、出口温度制御の結果を表１に示す。なお、Ｈ２＋ＣＯ生産量（Ｎｍ３／ｈ）、Ｈ２／ＣＯ比、合成ガスリフォーマ出口温度（℃）は、いずれも１時間（３６００点）に亘る平均値、および、その変動幅は標準偏差をもって示す。
【００７１】
（実施例５）合成ガスリフォーマの待機運転負荷および出口温度制御試験２
Ｓ／Ｃ比ＳＶ＝１．０９８、合成ガスリフォーマの出口温度ＳＶ＝９００℃、炉効率＝４８．６％と指定した以外は、実施例４と同一の条件で合成ガスリフォーマ待機運転時の負荷および出口温度制御試験を実施し、その結果を表１に示す。
【００７２】
（実施例６）合成ガスリフォーマの待機運転負荷および出口温度制御試験３
Ｓ／Ｃ比ＳＶ＝１．１１０、合成ガスリフォーマの出口温度ＳＶ＝９１０℃、炉効率＝４８．０％と指定した以外は、実施例４と同一の条件で合成ガスリフォーマ待機運転時の負荷および出口温度制御試験を実施し、その結果を表１に示す。
【００７３】
【表１】
0005173531.tif 000003
【００７４】
表１に示すとおり、合成ガスリフォーマの出口温度制御に関して、実施例１〜６では、合成ガスリフォーマの出口温度ＳＶと合成ガスリフォーマの出口温度ＰＶとの差は０．３℃以下であった。中でも実施例１〜３は、０．１℃以下であった。また、実施例１〜６のいずれの結果においても、合成ガスリフォーマの出口温度ＰＶの標準偏差が０．２３以下であり、高精度に制御されていることが判った。
Ｈ２＋ＣＯ流量ＰＶ、Ｈ２／ＣＯ比ＰＶで示される運転ロードは、１００％運転ロードのＨ２＋ＣＯ流量ＳＶ（１７０３０Ｎｍ３／ｈ）、Ｈ２／ＣＯ比ＳＶ（２．０１５）に近似する数値で達成され、その標準偏差からは、合成ガスリフォーマ運転中の変動が極めて小さいことが判った。
【００７５】
ＧＴＬプラントの起動時、又は、停止時、あるいは、製品生産量変更時には、プラントを構成する各セクションの運転負荷が変更される。
運転ロード変更に際しては、経済的観点より迅速かつ製品性状に影響を与えない操作が要求され、合成ガスリフォーマに対しては、運転ロード変化中も合成ガスリフォーマ出口温度、および、合成ガス中のＨ２／ＣＯ比を一定に保つことが強く求められる。
こうした観点より、実施例１〜６と同じＧＴＬ実証プラントにおいて、二種類の運転ロード変化（ロードアップおよびロードダウン）試験を実施した。なお、実証プラントの合成ガスリフォーマの運転ロードＳＶ＝１００％においては、Ｈ２＋ＣＯ＝１７０３０Ｎｍ３／ｈである。
【００７６】
（実施例７）負荷変化試験：ロードアップ
運転ロードは、９０％から１００％に、５０分間かけてロードアップさせた。コントローラからのＲａｍｐ操作（一定速度でＳＶ（制御目標値）を変化させる）によって天然ガス、水蒸気、ＣＯ２の供給量を０．２ポイント／分の速度で増大させた。合成ガスリフォーマの出口温度ＳＶは９００℃とした。
なお、本試験時、合成ガスセクション下流のＦＴおよびアップグレーディングセクションは、それぞれ、運転ロード９０％で待機させ、下記の条件は一定に保っていた。
・合成ガスリフォーマの入口の混合流体温度：５２０℃
・合成ガスリフォーマの出口圧力：１９６１ｋＰａＧ  
・Ｓ／Ｃ比：１．０９８
・ＣＯ２／Ｃ比：０．４２
実施例７の結果を図７に示す。
【００７７】
（比較例１）負荷変化試験：ロードアップ
図１０に示すフローチャートに則り、従来のＴＣ（温度調節）／ＰＣ（圧力調節）カスケード制御法により、合成ガスリフォーマの出口温度の制御を行った以外は、実施例７と同様にしてＧＴＬ実証プラントの運転を行った。比較例１の結果を図７に示す。
【００７８】
（実施例８）負荷変化試験：ロードダウン
運転ロードは、９０％から８０％に、５０分間かけてロードダウンさせた。コントローラからのＲａｍｐ操作（一定速度でＳＶ（制御目標値）を変化させる）によって天然ガス、水蒸気、ＣＯ２の供給量を０．２ポイント／分の速度で減少させた。合成ガスリフォーマの出口温度ＳＶは９００℃とした。
なお、本試験時、合成ガスセクション下流のＦＴおよびアップグレーディングセクションは、それぞれ、運転ロード８０％で待機させ、下記の条件は一定に保っていた。
・合成ガスリフォーマの入口の混合流体温度：５２０℃
・合成ガスリフォーマの出口圧力：１９６１ｋＰａＧ  
・Ｓ／Ｃ比：１．０９８
・ＣＯ２／Ｃ比：０．４２
実施例８の結果を図８に示す。
【００７９】
（比較例２）負荷変化試験：ロードダウン
図１０に示すフローチャートに則り、従来のＴＣ／ＰＣカスケード制御法により、合成ガスリフォーマの出口温度の制御を行った以外は、実施例８と同様にしてＧＴＬ実証プラントの運転を行った。比較例２の結果を図８に示す。
【００８０】
図７は、５０分間のロードアップにおける、運転ロード（Ａ１）の負荷率推移、水蒸気（Ａ２）、天然ガス（Ａ３）、ＣＯ２（Ａ４）の各流量推移、燃焼ガス圧力の実施例７（Ｘ１）と比較例１（Ｙ１）との推移、合成ガスリフォーマ出口温度の実施例７（Ｘ２）と比較例１（Ｙ２）との推移、Ｈ２／ＣＯ比の実施例７（Ｘ３）と比較例１（Ｙ３）との推移、Ｈ２＋ＣＯ流量の実施例７（Ｘ４）と比較例１（Ｙ４）との推移を示すグラフである。
図７に示すとおり、本発明による運転負荷および合成ガスリフォーマ出口温度制御法を行った実施例７では、運転ロードの９０％→１００％へのアップに伴い、燃料ガスの圧力が直線状に上昇し（４１．３７→４６．６２ｋＰａＧ）、合成ガスリフォーマ出口温度が一定（９００±１．０℃）に保たれる。
これにより合成ガス中のＨ２／ＣＯ比の値もほぼ一定値（２．０１５±０．０２）を維持し、Ｈ２＋ＣＯ流量も９０％（１５３２７Ｎｍ３／ｈ）から１００％（１７０３０Ｎｍ３／ｈ）へ、スムーズに増加することが分かる。また、５０分間という短時間で、合成ガスリフォーマの出口温度を一定にしながら、１０％のロードアップが行えることが判った。
一方、従来法である比較例１では、運転ロードが上昇を開始した時、フィードバック制御の応答の遅れのために、燃料ガス圧力の上昇に遅れが生じ、合成ガスリフォーマ出口温度が急激に低下する。それを補償する為に、次の段階において燃料ガス圧力が急激な増大を示し、それに応じて合成ガスリフォーマ出口温度も急激な上昇に転じて、目標値を超えてしまう（オーバーシュートと呼ばれる現象）。合成ガス中のＨ２／ＣＯ比の値も、Ｈ２＋ＣＯ流量も運転ロードが９０→１００％にアップする間、それぞれの目標値から上下に相当程度偏倚した挙動を示すことが分かる。
比較例１の従来法では、触媒管の熱容量の大きさ、触媒管での流体の滞留、触媒管出口から合成ガスリフォーマの出口温度測定点までの熱容量等の要因により、制御の応答の遅れとオーバーシュートが避けられず、合成ガスリフォーマの運転ロードアップ制御には適用出来ないことが明らかとなった。
【００８１】
図８は、５０分間のロードダウンにおける、運転ロード（Ｂ１）の負荷率推移、水蒸気（Ｂ２）、天然ガス（Ｂ３）、ＣＯ２（Ｂ４）の各流量推移、燃焼ガス圧力の実施例８（Ｘ５）と比較例２（Ｙ５）との推移、合成ガスリフォーマ出口温度の実施例８（Ｘ６）と比較例２（Ｙ６）との推移、Ｈ２／ＣＯ比の実施例８（Ｘ７）と比較例２（Ｙ７）との推移、Ｈ２＋ＣＯ流量の実施例８（Ｘ８）と比較例２（Ｙ８）との推移を示すグラフである。
図８に示すとおり、本発明による運転負荷および合成ガスリフォーマ出口温度制御法を行った実施例８では、運転ロードの９０％→８０％へのダウンに伴い、燃料ガスの圧力が直線状に低下し（３９．４４→３３．１８ｋＰａＧ）、合成ガスリフォーマ出口温度が一定（９００±１．０℃）に保たれる。
これにより合成ガス中のＨ２／ＣＯ比の値もほぼ一定値（２．０１５±０．０２）を維持し、Ｈ２＋ＣＯ流量も９０％（１５３２７Ｎｍ３／ｈ）から８０％（１３６２４Ｎｍ３／ｈ）へ、スムーズに移行することが分かる。また、５０分間という短時間で、合成ガスリフォーマの出口温度を一定にしながら、１０％のロードダウンが行えることが判った。
一方、従来法である比較例２の場合、運転ロードが下降を開始した時、フィードバック制御の応答の遅れのために燃料ガス圧力の低下に遅れが生じ、その為合成ガスリフォーマ出口温度が急激に上昇する。それを修正する為に次の段階において燃料ガス圧力が急激な低下を示し、それに応じて合成ガスリフォーマ出口温度も急激な下降に転じ目標値を下回ってしまう（オーバーシュートと呼ばれる現象）。
合成ガス中のＨ２／ＣＯ比の値も、Ｈ２＋ＣＯ流量も運転ロードが９０→８０％にダウンする間、それぞれの目標値から上下に相当程度偏倚した挙動を示すことが分かる。
比較例２の従来法では、応答の遅れとオーバーシュートが避けられず、合成ガスリフォーマの運転ロードダウン制御には適用出来ないことが明らかとなった。
【図面の簡単な説明】
【００８２】
【図１】本発明の実施形態にかかるＧＴＬプラントを示す模式図である。
【図２】本発明の実施形態にかかる合成ガスリフォーマを示す模式図である。
【図３】本発明の実施形態にかかる製油製品の製造方法を示すフロー図である。
【図４】本発明の実施形態にかかる合成ガスリフォーマの制御方法を説明するフローチャートである。
【図５】本発明の実施形態にかかるバーナ燃料ガス圧力とバーナ発熱量の相関を示すグラフである。
【図６】本発明の実施形態にかかる合成ガスリフォーマの制御方法を説明するフローチャートである。
【図７】合成ガスリフォーマの負荷を９０％から１００％にロードアップさせた試験の結果を示すグラフである。
【図８】合成ガスリフォーマの負荷を９０％から８０％にロードダウンさせた試験の結果を示すグラフである。
【図９】従来の温度制御方法を説明する加熱炉の模式図である。
【図１０】従来の加熱炉の温度制御方法を説明するフローチャートである。
【符号の説明】
【００８３】
８         ＧＴＬプラント
２０       合成ガスリフォーマ
２００      バーナ
２１４      圧力制御弁
【図１】
0005173531.tif 000004
【図２】
0005173531.tif 000005
【図３】
0005173531.tif 000006
【図４】
0005173531.tif 000007
【図５】
0005173531.tif 000008
【図６】
0005173531.tif 000009
【図７】
0005173531.tif 000010
【図８】
0005173531.tif 000011
【図９】
0005173531.tif 000012
【図１０】
0005173531.tif 000013